(57)【要約】【課題】音質が悪化することなく、音楽再生を可能とすること。【解決手段】音楽再生装置１は、バランスヘッドホンジャック５と、アンバランスヘッドホンジャック６と、アンバランスヘッドホンジャック６に接続されたアナロググラウンドと、アナロググラウンド以外のグラウンドと、の間に接続されたコンデンサ７と、コンデンサ７とグラウンドとの間に接続されたＭＯＳＦＥＴ８と、アンバランスヘッドホンジャック６へのプラグの挿入を検出する検出回路と、を備える。ＭＯＳＦＥＴ８は、検出回路がプラグの挿入を検出していない場合、オフとなる。【選択図】図１
2020014164.tif 000002
【特許請求の範囲】
【請求項１】
バランスヘッドホンジャックと、
アンバランスヘッドホンジャックと、
前記アンバランスヘッドホンジャックに接続されたアナロググラウンドと、前記アナロググラウンド以外のグラウンドと、の間に接続されたコンデンサと、
前記コンデンサと前記グラウンドとの間に接続されたスイッチと、
前記アンバランスヘッドホンジャックへのプラグの挿入を検出する検出回路と、を備え、
前記スイッチは、前記検出回路が前記プラグの挿入を検出していない場合、オフとなることを特徴とする音楽再生装置。
【請求項２】
前記スイッチは、前記検出回路が前記プラグの挿入を検出している場合、オンとなることを特徴とする請求項１に記載の音楽再生装置。
【請求項３】
前記スイッチは、ｎ型のＭＯＳＦＥＴであることを特徴とする請求項１又は２に記載の音楽再生装置。
【請求項４】
前記検出回路は、
前記ＭＯＳＦＥＴのゲートに接続され、
前記プラグの挿入を検出した場合、出力電位をハイとし、
前記プラグの挿入を検出していない場合、出力電位をローとすることを特徴とする請求項３に記載の音楽再生装置。
【請求項５】
音声信号を増幅し、増幅した音声信号を、前記バランスヘッドホンジャックと、前記アンバランスヘッドホンジャックと、に出力する増幅器をさらに備えることを特徴とする請求項１〜４のいずれか１項に記載の音楽再生装置。
【発明の詳細な説明】
【技術分野】
【０００１】
本発明は、音楽を再生する音楽再生装置に関する。
【背景技術】
【０００２】
ヘッドホンに音声信号を出力する音楽再生装置において、ヘッドホン出力には、アンバランス、バランスと呼ばれる方式がある（例えば、特許文献１参照。）。アンバランス出力には、直径３．５ｍｍの３極端子が用いられており、「ホット」、「コールド」の２種類で音声信号を伝送する。一方、バランス出力には、例えば、直径２．５ｍｍの４極端子が用いられており、「ポジティブ」、「ネガティブ」の２種類で音声信号を伝送する。「ネガティブ」は、「ポジティブ」の逆相である。「ネガティブ」の位相を反転し、「ポジティブ」の信号とミックス（混合）することで、音声信号の振幅は、倍になる。また、出力電流をグラウンドに流さないため、グラウンド電位が安定し、音質を改善できる。
【０００３】
図２は、従来のバランス出力とアンバランス出力とを有する音楽再生装置の構成を示すブロック図である。図２に示すように、ヘッドホンアンプは、バランス出力とアンバランス出力とで共用されている。図２に示す回路においては、アナロググラウンドにヘッドホンＤＡＣ（Ｄ／Ａコンバーター）用の発振子の高調波ノイズが乗っていることが多い。この場合、アンバランスヘッドホンジャックに、アンバランスヘッドホンが挿入されると、アナロググラウンドがヘッドホンケーブルにより、製品外に引き伸ばされ、コンデンサを設けないと、ヘッドホンケーブルからの輻射により、規格値オーバーとなってしまう。これに対し、バランスヘッドホンが使用される場合は、アナロググラウンドは、製品外に引き伸ばされないため、規格値オーバーにはならない。しかし、回路としてのアナロググランドは共通のため、バランスヘッドホン使用時も、コンデンサによる音質悪化の影響を受けてしまう。よって、このコンデンサは、バランスヘッドホン使用時においては、無駄な音質悪化要因となってしまっている。
【先行技術文献】
【特許文献】
【０００４】
【特許文献１】特開２０１３−００５２９１号公報
【発明の概要】
【発明が解決しようとする課題】
【０００５】
このように、ＥＭＣ（主に不要輻射）対策のため、アナロググラウンドとその他のグラウンドをコンデンサで結合すると、これにより、音質が悪化してしまうことが多い。
【０００６】
本発明の目的は、音質が悪化することなく、音楽再生を可能とすることである。
【課題を解決するための手段】
【０００７】
第１の発明の音楽再生装置は、バランスヘッドホンジャックと、アンバランスヘッドホンジャックと、前記アンバランスヘッドホンジャックに接続されたアナロググラウンドと、前記アナロググラウンド以外のグラウンドと、の間に接続されたコンデンサと、前記コンデンサと前記グラウンドとの間に接続されたスイッチと、前記アンバランスヘッドホンジャックへのプラグの挿入を検出する検出回路と、を備え、前記スイッチは、前記検出回路が前記プラグの挿入を検出していない場合、オフとなることを特徴とする。
【０００８】
本発明では、スイッチは、検出回路がプラグの挿入を検出していない場合、オフとなる。これにより、アンバランスヘッドホンが使用されていないときに、アナロググラウンドとグラウンドとの間に接続されたコンデンサが使用されないため、音質が悪化することがない。
【０００９】
第２の発明の音楽再生装置は、第１の発明の音楽再生装置において、前記スイッチは、前記検出回路が前記プラグの挿入を検出している場合、オンとなることを特徴とする。
【００１０】
本発明では、スイッチは、検出回路がプラグの挿入を検出している場合、オンとなる。これにより、アンバランスヘッドホンが使用されているときに、アナロググラウンドとグラウンドとの間に接続されたコンデンサが使用されるため、不要輻射が、規格値を超えることがない。
【００１１】
第３の発明の音楽再生装置は、第１又は第２の発明の音楽再生装置において、前記スイッチは、ｎ型のＭＯＳＦＥＴであることを特徴とする。
【００１２】
第４の発明の音楽再生装置は、第３の発明の音楽再生装置において、前記検出回路は、前記ＭＯＳＦＥＴのゲートに接続され、前記プラグの挿入を検出した場合、出力電位をハイとし、前記プラグの挿入を検出していない場合、出力電位をローとすることを特徴とする。
【００１３】
第５の発明の音楽再生装置は、第１〜第４のいずれかの発明の音楽再生装置において、  音声信号を増幅し、増幅した音声信号を、前記バランスヘッドホンジャックと、前記アンバランスヘッドホンジャックと、に出力する増幅器をさらに備えることを特徴とする。
【発明の効果】
【００１４】
本発明によれば、音質が悪化することなく、音楽を再生することができる。
【図面の簡単な説明】
【００１５】
【図１】本発明の実施形態に係る音楽再生装置の構成を示すブロック図である。
【図２】従来のバランス出力とアンバランス出力とを有する音楽再生装置の構成を示すブロック図である。
【発明を実施するための形態】
【００１６】
以下、本発明の実施形態について説明する。図１は、本発明の実施形態に係る音楽再生装置の構成を示すブロック図である。図１に示すように、音楽再生装置１は、ヘッドホンＤＡＣ（Ｄ／Ａコンバーター）２、発振子３、ヘッドホンアンプ４、バランスヘッドホンジャック５、アンバランスヘッドホンジャック６、コンデンサ７、ＭＯＳＦＥＴ８、検出回路を備える。
【００１７】
ヘッドホンＤＡＣ２は、デジタル音声信号を、アナログ音声信号にＤ／Ａ変換する。ヘッドホンＤＡＣ２によりＤ／Ａ変換されたアナログ音声信号は、ヘッドホンアンプ４に出力される。発振子３は、ヘッドホンＤＡＣ２用の発振子である。
【００１８】
ヘッドホンアンプ４（増幅器）は、アナログ音声信号を増幅する。ヘッドホンアンプ４により増幅された、正（＋）のアナログ音声信号と、負（−）のアナログ音声信号とは、バランスヘッドホンジャック５に出力される。また、ヘッドホンアンプ４により増幅された、正（＋）のアナログ音声信号は、アンバランスヘッドホンジャック６に出力される。バランスヘッドホンジャック５には、バランスヘッドホンが接続される。アンバランスヘッドホンジャック６には、アンバランスヘッドホンが接続される。
【００１９】
アンバランスヘッドホンジャック６は、アナロググラウンドに接続されている。コンデンサ７は、アナロググラウンドと、デジタルグラウンド又はシャーシグラウンド（アナロググラウンド以外のグラウンド）と、の間に接続されている。ＭＯＳＦＥＴ８（スイッチ）は、コンデンサ７とデジタルグラウンド又はシャーシグラウンドとの間に接続されている。ＭＯＳＦＥＴ８は、ｎ型のＭＯＳＦＥＴである。検出回路は、アンバランスヘッドホンジャック６へのプラグの挿入を検出する。
【００２０】
ＭＯＳＦＥＴ８は、検出回路がプラグの挿入を検出していない場合、オフとなる。また、ＭＯＳＦＥＴ８は、検出回路がプラグの挿入を検出している場合、オンとなる。具体的には、検出回路は、ＭＯＳＦＥＴ８のゲートに接続されている。検出回路は、プラグの挿入を検出した場合、出力電位をハイとする。従って、ＭＯＳＦＥＴ８のゲートの電位がハイとなるため、ＭＯＳＦＥＴ８がオンとなる。検出回路は、プラグの挿入を検出していない場合、出力電位をローとする。従って、ＭＯＳＦＥＴ８のゲートの電位がローとなるため、ＭＯＳＦＥＴ８がオフとなる。
【００２１】
なお、ＥＭＣ対策用のコンデンサは、ＭＯＳＦＥＴを介することで、コンデンサの効き目が弱くなる。このため、ＥＭＣの抑えたいレベルに応じて、低いオン抵抗のＭＯＳＦＥＴを使用する必要がある。
【００２２】
以上説明したように、本実施形態では、ＭＯＳＦＥＴ８は、検出回路がプラグの挿入を検出していない場合、オフとなる。これにより、アンバランスヘッドホンが使用されていないときに、アナロググラウンドとシャーシグラウンド又はデジタルグラウンドとの間に接続されたコンデンサ７が使用されないため、音質が悪化することがない。
【００２３】
また、本実施形態では、ＭＯＳＦＥＴ８は、検出回路がプラグの挿入を検出している場合、オンとなる。これにより、アンバランスヘッドホンが使用されているときに、アナロググラウンドとシャーシグラウンド又はデジタルグラウンドとの間に接続されたコンデンサ７が使用されるため、不要輻射が、規格値を超えることがない。
【００２４】
以上、本発明の実施形態について説明したが、本発明を適用可能な形態は、上述の実施形態には限られるものではなく、本発明の趣旨を逸脱しない範囲で適宜変更を加えることが可能である。
【産業上の利用可能性】
【００２５】
本発明は、音楽を再生する音楽再生装置に関する。
【符号の説明】
【００２６】
１  音楽再生装置
２  ヘッドホンＤＡＣ
３  発振子
４  ヘッドホンアンプ
５  バランスヘッドホンジャック
６  アンバランスヘッドホンジャック
７  コンデンサ
８  ＭＯＳＦＥＴ（スイッチ）
【図１】
2020014164.tif 000003
【図２】
2020014164.tif 000004